(57)【要約】【課題】安全性が高く、かつ工期の短縮が可能なエレベータ据付方法を提供する。【解決手段】多層構造物１の床部３で、エレベータの据付工事を行なう平面位置に設けられた開口部５に、床部３の下面３ａの少なくとも一部より所定量下方で仮設デッキ７を設置する工程（ａ）と、仮設デッキ７を設置した状態で、仮設デッキ７の上方でのエレベータの据付工事を行う工程（ｂ）と、仮設デッキ７を取り外す工程（ｃ）と、により、多層構造物１の構築の際にエレベータの据付工事を行う。【選択図】図２
2012051698.tif 000002
【特許請求の範囲】
【請求項１】
多層構造物の構築の際にエレベータの据付工事を行うエレベータ据付方法であって、
前記多層構造物の床部で、前記エレベータの据付工事を行なう平面位置に設けられた開口部に、前記床部の下面の少なくとも一部より所定量下方で仮設デッキを設置する工程（ａ）と、
前記仮設デッキを設置した状態で、前記仮設デッキの上方での前記エレベータの据付工事を行う工程（ｂ）と、
前記仮設デッキを取り外す工程（ｃ）と、
を含むことを特徴とするエレベータ据付方法。
【請求項２】
前記所定量は、前記仮設デッキの近傍の床部の下面の少なくとも一部に設けられる梁の成のサイズ以下とすることを特徴とする請求項１に記載のエレベータ据付方法。
【請求項３】
前記仮設デッキには穴部が設けられ、
前記工程（ｂ）において、前記穴部を通して前記エレベータのガイドレールおよび／またはケーブルを搬送し、前記ガイドレールおよび／または前記ケーブルの取付を行うことを特徴とする請求項１または請求項２に記載のエレベータ据付方法。
【請求項４】
前記仮設デッキの穴部は、開閉可能であることを特徴とする請求項３に記載のエレベータ据付方法。
【請求項５】
前記工程（ａ）を、前記多層構造物の構築の際に前記多層構造物で新たに構築された階で行うことを特徴とする請求項１から請求項４のいずれかに記載のエレベータ据付方法。
【発明の詳細な説明】
【技術分野】
【０００１】
本発明はエレベータ据付方法に関する。
【背景技術】
【０００２】
従来、鉄骨造等の多層構造物にエレベータを据付ける際には、図５（ａ）に示すように、エレベータの昇降路に対応する平面位置を開口部５３としつつ、昇降路空間に対応する多層構造物５１の各フロアを構築する。多層構造物５１の構築中は、落下防止のため、開口部５３の周囲にシート５４等を設けたり、各フロアの開口部５３に仮設デッキ５６を設けるなどする。また、昇降路空間の壁面としてＡＬＣ等のパネルを取り付け、各フロアの構築後には、例えば、上階から順に仮設デッキ５６を外しつつ昇降路内部の鉄骨部分の耐火被覆の施工等を行なう。
【０００３】
仮設デッキ５６を全て外した後にエレベータ据付工事を行なう。エレベータ据付工事は、図５（ｂ）に示すように、昇降路空間の上階に設けた巻上機５８等から、予め組み立てておいた仮設ゴンドラ５５を吊り下げて作業台とし、ウィンチ５９等でガイドレール５７を吊り上げつつ仮設ゴンドラ５５の作業者によりガイドレール５７の取付けを行なう。その他、エレベータの乗場における出入口を囲む三方枠、エレベータの出入口扉や出入口扉の敷居受けの取付け等、エレベータ部品の取付作業を行ったのち、エレベータかごの組み立て等を行ない、エレベータの据付がなされる。このような工事の例が、特許文献１に記載されている。
【先行技術文献】
【特許文献】
【０００４】
【特許文献１】特開平１０−１０１２７２号公報
【発明の概要】
【発明が解決しようとする課題】
【０００５】
しかしながら、このようなエレベータ据付工事では、各フロアに開口部が存在する状態で大部分のエレベータ据付工事を行うことになる。開口部近辺には落下防止のためシート等も設けられるが、各フロアから作業者が誤って落下するほか、仮設ゴンドラの作業者、あるいは各作業者の持つ工具やガイドレール等のエレベータ部品も落下する危険性があり、安全性の点で問題となっていた。また、多層構造物を構築し仮設デッキを取り外したあとで昇降路空間内のエレベータ据付工事を行なうので、工期が長くなる要因ともなっていた。
【０００６】
本発明は、前述した問題点に鑑みてなされたもので、より安全で工期の短縮も可能なエレベータ据付方法を提供することを目的とする。
【課題を解決するための手段】
【０００７】
前述した目的を達するために第１の発明は、多層構造物の構築の際にエレベータの据付工事を行うエレベータ据付方法であって、前記多層構造物の床部で、前記エレベータの据付工事を行なう平面位置に設けられた開口部に、前記床部の下面の少なくとも一部より所定量下方で仮設デッキを設置する工程（ａ）と、前記仮設デッキを設置した状態で、前記仮設デッキの上方での前記エレベータの据付工事を行う工程（ｂ）と、前記仮設デッキを取り外す工程（ｃ）と、を含むことを特徴とするエレベータ据付方法である。
【０００８】
前記所定量は、前記仮設デッキの近傍の床部の下面の少なくとも一部に設けられる梁の成のサイズ以下とできる。
【０００９】
また、前記仮設デッキには穴部が設けられ、前記工程（ｂ）において、前記穴部を通して前記エレベータのガイドレールおよび／またはケーブルを搬送し、前記ガイドレールおよび／または前記ケーブルの取付を行うことが望ましい。更に、前記仮設デッキの穴部は、開閉可能であることが望ましい。
【００１０】
加えて、前記工程（ａ）は、前記多層構造物の構築の際に前記多層構造物で新たに構築された階で行うことができる。
【００１１】
上記構成により、多層構造物の所定の高さ位置に仮設デッキを設けつつエレベータ据付工事を行うことにより、エレベータ据付工事の安全性を高めることができる。また、多層構造物の構築中に設けた仮設デッキを取り外すことなくそのまま使用し、エレベータ据付工事を行なうことができるので、工期の短縮が期待できる。仮設デッキは、エレベータ据付工事時以外では落下防止の役割を果たすとともに、エレベータ据付工事の際には作業台としての役割を果たす。また、仮設デッキを床部の下面より所定量下方で設けることにより床部との干渉部分が無くなり、三方枠や敷居受けの取付工事等の各種のエレベータ据付工事を容易に行なうことができる。
【００１２】
また、仮設デッキの高さを床部の下面と梁の下部との間とすることにより、仮設デッキの梁への取り付けが容易になる。さらに、仮設デッキには穴部を設けることで、ガイドレールやケーブルの上下方向の搬送なども当該穴部を介して行なうことができるようになる。また、この穴部は開閉可能とし、必要のない場合には閉じておくことで、ガイドレールやケーブル、工具などの落下を防ぐことが出来る。さらに、仮設デッキの設置を、多層構造物の構築の際に新たに構築された階で行い、階を構築するごとに仮設デッキを設けることにより、多層構造物の構築中に開口部からの落下を確実に防ぐことができる。
【発明の効果】
【００１３】
本発明により、より安全で工期の短縮も可能なエレベータ据付方法を提供することができる。
【図面の簡単な説明】
【００１４】
【図１】エレベータ据付方法の手順を示す図
【図２】エレベータ据付方法の手順を示す図
【図３】仮設デッキ７の設置を示す図
【図４】仮設デッキ７の平面を示す図
【図５】エレベータ据付工事の例を示す図
【発明を実施するための形態】
【００１５】
以下図面を参照しながら、本発明のエレベータ据付方法等の実施形態について説明する。本実施形態のエレベータ据付方法は、鉄骨造等の多層構造物１においてエレベータ据付工事を行なうエレベータの昇降路空間で、多層構造物１の所定の高さ位置に仮設デッキを設けつつエレベータ据付工事を行うことによりエレベータ据付工事の安全性を高めるものである。
【００１６】
本実施形態のエレベータ据付方法について、図１〜４を用いて説明する。本実施形態のエレベータ据付方法では、まず、図１（ａ）に示すように、多層構造物１において、開口部５を有する階２−２の床部３を構築する。
【００１７】
開口部５は、多層構造物１においてエレベータ据付工事を行なうエレベータの昇降路空間の平面位置に対応するように設けられる。なお、階２−２は昇降路空間における最下階２−１より１つ上の階である。最下階２−１で昇降路空間に対応する部分には、ピット４が設けられている。
【００１８】
次に、図１（ｂ）に示すように、階２−２の開口部５に仮設デッキ７を設置する。図３、４を用いて、本実施形態の仮設デッキ７について説明する。図３は仮設デッキ７の配置状態を示す図であり、図３（ａ）は図１（ｂ）においてＡで示された部分を示す図、図３（ｂ）は図３（ａ）の線Ｂ−Ｂにおける断面図である。また、図４は仮設デッキ７の平面を示す図である。
【００１９】
図３（ａ）に示すように、仮設デッキ７は、床部３の下面３ａの少なくとも一部より、所定量下方の高さに設けられている。本実施形態では、図３（ｂ）に示すように、仮設デッキ７が、開口部５の近傍で床部３の下面３ａの少なくとも一部に設けられ、床部３を支持する梁９に接続プレートおよびボルト等の接続具１０で接続され、上記の所定量は上記の梁９の成のサイズより短くなっている。開口部５に仮設デッキ７を設ける高さ位置は、後述するエレベータ部品の取り付けの容易さの観点から、床部３の下面３ａより低い位置であればよく、取り付け方法も上記に限るものではないが、上記のように床部３を支える梁９に対応する高さ位置に設けることは、仮設デッキ７の設置の容易さの観点から好ましい。
【００２０】
図４は、仮設デッキ７を図３（ａ）のＣ方向（上方向）からみた平面を示す図である。図４（ａ）に示すように、仮設デッキ７には、芯出し用のピアノ線等を通す穴部１１、本設用のケーブル（電線）を通す穴部１２、エレベータかご用のガイドレールを通すための穴部１３、カウンターウェイト用のガイドレールを通すための穴部１５が設けられる。仮設デッキ７の材質や構造は、施工の作業性、支持重量、機能性等に基づき、様々に定めることができる。また、穴部１１、穴部１２、穴部１３、穴部１５の位置や大きさは、芯出し位置や芯出し方法、ガイドレールやケーブルの取付位置や大きさ、あるいはその搬送方法等に合わせて適宜定めることができる。
【００２１】
また、図４（ｂ）に示すように、仮設デッキ７には、例えばスライド機構により図の方向ａ〜ｃにスライドし、穴部１２や穴部１３、穴部１５を開閉可能な開閉扉１２ａ、開閉扉１３ａ、開閉扉１５ａを設けるなどして、穴部１２や穴部１３、穴部１５を開閉可能としてもよい。上記したように、穴部１２や穴部１３、穴部１５はガイドレール等を通すための穴部であるが、エレベータの据付工事を行なっていない時や、エレベータの据付工事においてガイドレール等を通した状態でない場合にはこれを閉じることにより、穴部１２や穴部１３、穴部１５から工具やガイドレール等が落下することを防ぐことができる。なお、穴部１１にも同様の開閉扉を設けてよい。また、開閉扉はこれらの穴部を開閉可能なものであればよく、その機構は上記したものに限らない。
【００２２】
エレベータ据付方法の説明に戻る。図１（ｃ）に示すように、図１（ａ）と図１（ｂ）の工程を繰り返しつつ、多層構造物１の所定の階２−ｎに至るまで、各階２−２〜２−ｎごとに、新しく床部３を構築した後当該床部３の開口部５の平面位置にあわせて仮設デッキ７を設置する作業を繰り返す。なお、複数階分の床部３の構築を行なった後、各階の開口部５に仮設デッキ７を設けてもよいが、階を構築するごとに仮設デッキ７を設けることは、多層構造物１の構築中に開口部５からの落下を確実に防ぐことができる利点がある。また、安全性を満たす限りにおいて、一部の階について仮設デッキ７の設置を省略することも可能である。
【００２３】
図１（ｄ）に示すように、所定の階２−ｎまで床部３の構築および仮設デッキ７の設置を行った後、エレベータの各部品の設置工事の際の寸法を定めるための芯出しを行う。芯出しは、例えば、ピアノ線等の線条材２１を２本、上方から各仮設デッキ７の各穴部１１に通しつつ垂下し、その線条材２１の平面位置を結ぶ線を基準として、エレベータの各部品の設置の際の基準線等を得ることにより行なわれる。
【００２４】
その後、図２（ａ）に示すように、階２−１〜２−ｎのエレベータ昇降路内で、仮設デッキ７等に位置する作業者により、エレベータかご用のガイドレール２３、およびカウンターウェイト用のガイドレール２５やケーブル（不図示）を取り付ける。また、昇降路空間側面のＡＬＣ壁や下がり壁２６、吊り天井やエレベータの三方枠固定材（不図示）の施工、鉄骨部分の耐火被覆等も行なう。このように、仮設デッキ７の上方で昇降路空間周りの必要な工事を行う。
【００２５】
ガイドレール２３、２５は、予め所定の作業箇所でワイヤ２２等に取り付けた所定長さのガイドレール２３やガイドレール２５をクレーン（不図示）等により上方から吊り下ろし、昇降路空間の下方から順に、ピット４に設けた基部２４の上で組み立てる。この際、取り付け済みのガイドレール２３やガイドレール２５の上端部に、新たに取り付けるガイドレール２３やガイドレール２５の下端部を接続する。また、ガイドレール２３、２５は昇降路空間の側壁等にブラケット（不図示）等を用いて取り付ける。
【００２６】
各階の昇降路空間は、上下を仮設デッキ７で隔てられている状態であるが、前述したように、仮設デッキ７にはガイドレール２３を通すための穴部１３、ガイドレール２５を通すための穴部１５が設けられている。従って、本実施形態のエレベータ据付方法では、ガイドレール２３、ガイドレール２５を、この穴部１３、１５に通すことで、ガイドレール２３、２５の搬送、組み立てを行うことができる。
また、仮設デッキ７にはケーブルを通すための穴部１２も設けられており、ケーブルをこの穴部１２に通すことで、ケーブルの搬送、設置を行なうことができる。
【００２７】
なお、ガイドレール２３やガイドレール２５は、下層から搬入して穴部１３、穴部１５を通してクレーンで吊り上げつつその組み立てを行なうことも可能である。
【００２８】
エレベータ据付方法の説明に戻る。上記の工事とともに、図２（ｂ）に示すように、エレベータの乗場の出入口を囲む枠である三方枠２７および出入口扉２８の取付け、出入口扉２８の敷居受け２９の施工など、仮設デッキ７の上方でのエレベータ部品の据付工事を仮設デッキ７等に位置する作業者により行う。なお、必要に応じて図２（ａ）および図２（ｂ）の工程における各工事の手順は前後してもよい。
【００２９】
本実施形態では、前述したように、仮設デッキ７を開口部５の近傍の床部３の下面３ａより低く設けるので、開口部５の仮設デッキ７上では、敷居受け２９の施工や開口部５近傍の耐火被覆等に必要な高さ方向の間隔が、床部３と仮設デッキ７の上面との間に確保され、これらを含め、図２（ａ）および図２（ｂ）の工程で行なう、仮設デッキ７の上方でのエレベータ据付に関する工事が容易になる。例えば敷居受け２９は開口部５の乗場方向の側面に対応する床部３の端面に取り付けるので、仮設デッキ７を開口部５で床部３の下面３ａより上に設けると、作業が困難になる。
【００３０】
以降、上記示した工程を繰り返し、図２（ｃ）に示すように、昇降路空間の最上階２−ｍまでガイドレール２３、２５、ケーブルの取り付け、昇降路空間の耐火被覆、エレベータの三方枠２７および出入口扉２８の取付け、敷居受け２９の施工など、エレベータ据付工事を行なう。また、巻上機３０等を昇降路空間の上階２−（ｍ＋１）の機械室までクレーン（不図示）等で揚重して設置する。なお、昇降路空間で何階ごとに上記の作業あるいはその一部を行なうかは適宜定めることができ、例えば１つの階を構築し仮設デッキ７を設置するごとに昇降路の当該階においてガイドレール２３、２５の組み立て等を行なうなどしてもよい。また、図１（ｄ）に示す段階で昇降路空間の最上階２−ｍまで多層構造物１を構築していてもよい。
【００３１】
昇降路空間の最上階２−ｍまでエレベータ据付工事を行なえば、図２（ｄ）に示すように、各階２−２〜２−ｍの仮設デッキ７を解体し、除去する。またエレベータかごやカウンターウェイト（不図示）の組み立てを行いガイドレール２３、２５へ取り付け、これらを巻上機３０を介してワイヤ等で接続する。さらに、各種のエレベータ電装品、ピット機器の取り付け、昇降路内の耐火被覆の補修、昇降路内器具、ケーブル配線の取り付け等を行い、試運転等を行なえば、エレベータ据付工事を終了する。
【００３２】
以上説明したように、本実施形態のエレベータ据付方法は、多層構造物１においてエレベータ据付工事を行なうエレベータの昇降路空間で、多層構造物１の所定の高さ位置に仮設デッキ７を設けつつエレベータ据付工事を行うもので、これによりエレベータ据付工事の安全性を高めることができる。また、多層構造物１の構築中に設けた仮設デッキ７を取り外すことなくそのまま使用し、多層構造物１の構築中にエレベータ据付工事を行なうことができるので、工期の短縮が期待できる。仮設デッキ７は、多層構造物１の構築中は落下防止の役割を果たすとともに、エレベータ据付工事の際には作業台としての役割を果たす。また、仮設デッキ７を床部３の下面３ａより所定量下方で設けることにより、各種のエレベータ据付工事を容易に行なうことができる。
【００３３】
また、仮設デッキ７を梁９に取り付け、その高さを床部３の下面と梁９の下部との間とすることにより、仮設デッキ７の取り付けが容易になる。さらに、仮設デッキ７には穴部１１、１２、１３、１５等を設けることで、ガイドレールやケーブルの上下方向の搬送や芯出し作業を当該穴部を介して行なうことができるようになる。また、この穴部１１、１２、１３、１５を開閉可能とし、必要のない場合には閉じておくことで、ガイドレール２３、２５、ケーブルや工具の落下を防ぐことが出来る。さらに、仮設デッキ７の設置を、多層構造物１の構築の際に新たに構築された階で行い、階を構築するごとに仮設デッキ７を設けることにより、多層構造物１の構築中、開口部５からの落下を確実に防ぐことができる。
【００３４】
以上、添付図面を参照しながら、本発明に係るエレベータ据付方法等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
例えば、本実施形態のエレベータ据付方法は、巻上機、エレベータかご、カウンターウェイト等により構成される前述のエレベータに限らず、様々な形式のエレベータの据付工事を行なう際に適用することが可能である。
また、上記のエレベータ据付方法は、昇降路の最下階部分より開始するものに限らず、仮設ゴンドラや下方から組み上げた仮設作業床等の上で作業を行なう従来の手法を用いて昇降路の下方からその途中までガイドレールの設置等のエレベータ据付工事を行なったあと、これに引き継いで昇降路の途中から行なうものであってもよい。あるいは昇降路の下方からその途中まで本手法によりエレベータ据付工事を行なった後、これに引き継いで従来の手法を用いて昇降路の最上階までエレベータ据付工事を行なうものであってもよい。
【符号の説明】
【００３５】
１、５１………多層構造物
２−１〜２−ｎ、２−ｍ、２−（ｍ＋１）………階
３………床部
５、５３………開口部
７、５６………仮設デッキ
９………梁
１１、１２、１３、１５………穴部
１２ａ、１３ａ、１５ａ………開閉扉
２３、２５、５７………ガイドレール
２７………三方枠
２８………出入口扉
２９………敷居受け
５４………シート
【図１】
2012051698.tif 000003
【図２】
2012051698.tif 000004
【図３】
2012051698.tif 000005
【図４】
2012051698.tif 000006
【図５】
2012051698.tif 000007